(57)【要約】【課題】  ガラス繊維布を用いた装飾豊かな時計用文字板を提供する。【解決手段】  ガラス繊維布を用いた時計用文字板において、ガラス繊維４３ａを束ねて形成したガラス繊維布４３の布目の中にまで樹脂４２を浸透させて付着させ、樹脂４２の仮硬化の下でガラス繊維布４３の布目を綺麗に整形して平坦に仕上げ、文字板基板４１に貼付ける。樹脂４２はガラス繊維４３ａの屈折率と略同一屈折率の樹脂を使用する。また、ガラス繊維布４３に樹脂４２を付着させる方法は樹脂塗料液に浸漬して行い、樹脂塗料液は樹脂１：溶剤１０（重量％）配合のものを使用する。【選択図】        図４
2005274347.tif 000002
【特許請求の範囲】
【請求項１】
文字板基板の全面又は一部分に、樹脂で被覆したガラス繊維布を設けたことを特徴とする時計用文字板。
【請求項２】
前記ガラス繊維布は、複数のガラス繊維を束ねて編込んだものからなり、前記樹脂は前記ガラス繊維を束ねて編込んだ布目の中にまで浸透して被覆していることを特徴とする請求項１に記載の時計用文字板。
【請求項３】
前記樹脂で被覆したガラス繊維布は、平坦面になっていることを特徴とする請求項１または請求項２に記載の時計用文字板。
【請求項４】
前記樹脂は、前記ガラス繊維と略同一屈折率であることを特徴とする請求項１乃至請求項３のいずれか１項に記載の時計用文字板。
【請求項５】
前記樹脂は、アクリル樹脂、ウレタン樹脂またはポリカーボネイト樹脂であることを特徴とする請求項１乃至請求項４のいずれか１項に記載の時計用文字板。
【請求項６】
前記樹脂は、着色されていることを特徴とする請求項１乃至請求項５のいずれか１項に記載の時計用文字板。
【請求項７】
ガラス繊維布を用いた時計用文字板の製造方法において、
前記ガラス繊維布を樹脂塗料の液に浸漬してガラス繊維布に樹脂を付着させる工程と、
該樹脂が付着したガラス繊維布を自然乾燥または加熱乾燥して樹脂を仮硬化させる工程と、
該樹脂が仮硬化したガラス繊維布を加圧して平坦な面に整形する工程と、
該平坦な面に整形されたガラス繊維布を文字板基板に接着剤を介して貼合わせる工程と、
を有することを特徴とする時計用文字板の製造方法。
【請求項８】
前記ガラス繊維布は、複数のガラス繊維を束ねて編込んだものからなり、前記樹脂塗料の液に浸漬したガラス繊維布は、布目の中にまで浸透して樹脂が付着していることを特徴とする請求項７に記載の時計用文字板の製造方法。
【請求項９】
前記樹脂塗料の液は、樹脂に溶剤を混ぜ合わせて塗料化した液であり、前記樹脂は、前記ガラス繊維と略同一屈折率であることを特徴とする請求項７または請求項８に記載の時計用文字板の製造方法。
【請求項１０】
前記樹脂は、アクリル樹脂、ウレタン樹脂またはポリカーボネイト樹脂であることを特徴とする請求項７乃至請求項９のいずれか１項に記載の時計用文字板の製造方法。
【請求項１１】
前記ガラス繊維布を平坦な面に整形する工程は、平坦な２枚のシリコンゴム板の間にガラス繊維布を挟んで加熱を施こして行うことを特徴とする請求項７に記載の時計用文字板の製造方法。
【請求項１２】
前記ガラス繊維布を文字板基板に貼合わせた後に、プレス加工を行い文字板形状に仕立てることを特徴とする請求項７に記載の時計用文字板の製造方法。
【請求項１３】
前記ガラス繊維布を平坦な面に整形した後に、プレス加工を行いガラス繊維布を所望の形状に成形することを特徴とする請求項７に記載の時計用文字板の製造方法。
【請求項１４】
前記樹脂は、着色されていることを特徴とする請求項７乃至請求項１０のいずれか１項に記載の時計用文字板の製造方法。
【請求項１５】
ガラス繊維布を用いた時計用文字板を備える携帯時計であって、前記請求項１乃至請求項６のいずれか１項に記載の時計用文字板を備えて、ガラス繊維布から発するキラキラとした光沢感と、綺麗なガラス繊維布の布目模様を外観に表現したことを特徴とする携帯時計。
【請求項１６】
ガラス繊維布を用いた時計用文字板を備える携帯時計であって、前記請求項７乃至請求項１４のいずれか１項に記載の時計用文字板の製造方法によって製造した時計用文字板を備えて、ガラス繊維布から発するキラキラとした光沢感と、綺麗なガラス繊維布の布目模様を外観に表現したことを特徴とする携帯時計。
【発明の詳細な説明】
【技術分野】
【０００１】
本発明は時計用文字板に関し、特に、ガラス繊維からなるガラス繊維布を用いた時計用文字板、及びその製造方法とそれを備えた携帯時計に関する。
【背景技術】
【０００２】
ガラス繊維布は防水性や耐火性などの性質を有していることから各種の防火用品、建築用品などに数多く利用されている。また、このガラス繊維布は光の反射によってキラキラとした輝きを発することから帯紐などの装飾用品としても利用されている。このガラス繊維布は径が数μｍの細いガラス繊維を複数束ねて編込んだものから成っていて、極細タイプのガラス繊維になると０．４μｍの細さのものまである。
【０００３】
このようなガラス繊維布を時計用文字板に利用することによって、新たなデザインバリエーションを増やすことができ、また、利用者にも新たな装飾を持つ時計を提供することができる。
【発明の開示】
【発明が解決しようとする課題】
【０００４】
そこで、ガラス繊維布を用いた携帯時計を提供すべく下記の実験等を行った。先ず最初に、（実験１）ガラス繊維布を金属文字板基板に接着剤で貼付け、プレス加工で文字板形状を出す実験を行った所、図７に描くような結果が現れた。図７はプレス加工により得られた時計用文字板の要部断面図を示していて、ガラス繊維布１０を金属基板１２に粘着剤１１を介して貼付けてプレス加工を行った所、外形部と指針取付用小孔部のガラス繊維布１０の切断部に切り口のガラス繊維がバラケて繊維ケバ１０ａが多数発生した。また、ガラス繊維布が柔らかく、腰が弱いためにガラス繊維の布目がよじれてしまい綺麗な布目が得られなかった。この結果、この条件下ではプレス加工は不適と判断された。
【０００５】
このため、次に、（実験２）ガラス繊維布を金属文字板基板に接着剤で貼付け、そのガラス繊維布の上から、実験１で発生したバラケ防止のために、塗料でバラケ防止印刷を施し、プレス加工で文字板形状を出す実験を行った。その結果、バラケ状態は多少良くなってはきたものの依然として切断部にガラス繊維のケバが量は少ないが発生した。また、ガラス繊維布に塗料を印刷したときに濡れ性の問題で塗料の乗りが悪く、玉状に固まって梨地状の表面になり、本来のキラキラ感が現れる光沢のあるガラス繊維布の表面が得られなかった。
【０００６】
以上の結果から、更に工夫のある製造方法が求められていた。本発明は、このような課題に鑑みて成されたもので、その目的とする所は、ガラス繊維布の布目が綺麗に現れて、しかも、ガラス繊維独特のキラキラ感の現れる時計用文字板を得ることにある。
【課題を解決するための手段】
【０００７】
上記の目的を達成する手段として、本発明の請求項１に記載の時計用文字板は、文字板基板の全面又は一部分に、樹脂で被覆したガラス繊維布を設けたことを特徴とするものである。
【０００８】
また、本発明の請求項２に記載の時計用文字板は、前記のガラス繊維布が複数のガラス繊維を束ねて編込んだものからなり、前記の樹脂は前記ガラス繊維を束ねて編込んだ布目の中にまで浸透して被覆していることを特徴とするものである。
【０００９】
また、本発明の請求項３に記載の時計用文字板は、前記の樹脂で被覆したガラス繊維布は平坦面になっていることを特徴とするものである。
【００１０】
また、本発明の請求項４に記載の時計用文字板は、前記の樹脂が前記のガラス繊維と略同一屈折率であることを特徴とするものである。
【００１１】
また、本発明の請求項５に記載の時計用文字板は、前記の樹脂がアクリル樹脂、ウレタン樹脂またはポリカーボネイト樹脂であることを特徴とするものである。
【００１２】
また、本発明の請求項６に記載の時計用文字板は、前記の樹脂が着色されていることを特徴とするものである。
【００１３】
また、本発明の請求項７に記載の時計用文字板の製造方法は、ガラス繊維布を用いた時計用文字板の製造方法において、前記のガラス繊維布を樹脂塗料の液に浸漬してガラス繊維布に樹脂を付着させる工程と、該樹脂が付着したガラス繊維布を自然乾燥または加熱乾燥して樹脂を仮硬化させる工程と、該樹脂が仮硬化したガラス繊維布を加圧して平坦な面に整形する工程と、該平坦な面に整形されたガラス繊維布を文字板基板に接着剤を介して貼合わせる工程と、を有することを特徴とするものである。
【００１４】
また、本発明の請求項８に記載の時計用文字板の製造方法は、前記の請求項７において、ガラス繊維布が複数のガラス繊維を束ねて編込んだものからなり、樹脂塗料の液に浸漬したガラス繊維布は、布目の中にまで浸透して樹脂が付着していることを特徴とするものである。
【００１５】
また、本発明の請求項９に記載の時計用文字板の製造方法は、前記の請求項７又は請求項８において、樹脂塗料の液は、樹脂に溶剤を混ぜ合わせて塗料化した液であり、樹脂はガラス繊維と略同一屈折率であることを特徴とするものである。
【００１６】
また、本発明の請求項１０に記載の時計用文字板の製造方法は、前記の請求項７〜請求項９において、樹脂がアクリル樹脂、ウレタン樹脂またはポリカーボネイト樹脂であることを特徴とするものである。
【００１７】
また、本発明の請求項１１に記載の時計用文字板の製造方法は、前記の請求項７において、ガラス繊維布を平坦な面に整形する工程は、平坦な２枚のシリコンゴム板の間にガラス繊維布を挟んで加熱を施こして行うことを特徴とするものである。
【００１８】
また、本発明の請求項１２に記載の時計用文字板の製造方法は、前記の請求項７において、ガラス繊維布を文字板基板に貼合わせた後に、プレス加工を行い文字板形状に仕立てることを特徴とするものである。
【００１９】
また、本発明の請求項１３に記載の時計用文字板の製造方法は、前記の請求項７において、ガラス繊維布を平坦な面に整形した後に、プレス加工を行いガラス繊維布を所望の形状に成形することを特徴とするものである。
【００２０】
また、本発明の請求項１４に記載の時計用文字板の製造方法は、前記の請求項７〜請求項１０において、樹脂が着色されていることを特徴とするものである。
【００２１】
また、本発明の請求項１５に記載の携帯時計は、ガラス繊維布を用いた時計用文字板を備える携帯時計であって、前記の請求項１乃至請求項６のいずれか１項に記載の時計用文字板を備えて、ガラス繊維布から発するキラキラとした光沢感と、綺麗なガラス繊維布の布目模様を外観に表現したことを特徴とするものである。
【００２２】
また、本発明の請求項１６に記載の携帯時計は、ガラス繊維布を用いた時計用文字板を備える携帯時計であって、前記の請求項７乃至請求項１４のいずれか１項に記載の時計用文字板の製造方法によって製造した時計用文字板を備えて、ガラス繊維布から発するキラキラとした光沢感と、綺麗なガラス繊維布の布目模様を外観に表現したことを特徴とするものである。
【発明の効果】
【００２３】
発明の効果として、本発明のガラス繊維布を用いた時計用文字板は、ガラス繊維布が樹脂で覆われていて、しかも、布目の中にまで浸透して樹脂が付着している。このことにより、プレス加工を行ってもガラス繊維がバラケることなくプレス加工ができ、また、切断面のガラス繊維のケバが発生することなく綺麗な切断面が得られる。
【００２４】
また、樹脂で被覆したガラス繊維布が平坦に整形されている。平坦に整形することによって布目が綺麗に整った目になり、外観上の美しさがでてくる。
【００２５】
また、樹脂は、ガラス繊維布のガラス繊維と略同一屈折率のものを使用している。同一屈折率の樹脂を使用するとガラス繊維とそれを覆う樹脂との境界面で光が屈折することなく外に放射される。境界面で屈折を起こすと光が分散され、光沢のあるキラキラ感が得られない。同一屈折率の樹脂を用いると境界面での屈折光がなくなるので、ガラス繊維の持つ独特の光沢のあるキラキラとした光が視認される。そして、この同一屈折率の樹脂としてアクリル樹脂、ウレタン樹脂、ポリカーボネイト樹脂などを上げることができる。
【００２６】
また、樹脂に薄く着色を施すことによって、キラキラ感を薄らぐことなく文字板のカラー化ができ、デザインバリエーションを増やす効果を得る。
【００２７】
次に、本発明の時計用文字板の製造方法において、ガラス繊維布を樹脂塗料の液に浸漬する。これにより、複数束ねたガラス繊維の隙間の中まで樹脂が十分入り込む。そして、その樹脂が被覆したガラス繊維布を自然乾燥または低温加熱して樹脂を仮硬化させることにより後工程での取扱を容易にする。樹脂がベトベトしないので色々な加工処理がやりやすい。次に、ガラス繊維布を平坦に整形する。これは、よじれ曲がっているガラス繊維などを伸ばして整った布目に整形して平坦面にするもので、これにより綺麗に整った布目に仕上がる。なお、この整形は２枚のシリコンゴム板の間に挟んで加熱・加圧の下で行うが、シリコンゴム板を用いると再溶解した樹脂がシリコンゴム板に付着しないので、何度でもそのシリコンゴム板を使用することができる。
【００２８】
これによって、整った布目のガラス繊維布ができあがる。そして、腰の強いガラス繊維布ができあがる。次に、この整った布目の腰の強いガラス繊維布を文字板基板に接着剤を介して貼合わせ、プレス加工を行って文字板の外形仕上げを行う。このような製造工程を取ることによって、プレス切断面でのガラス繊維のケバが発生せず、綺麗に整った布目のガラス繊維布を貼付けた文字板が得られる。また、文字板の一部分にガラス繊維布を設ける場合は、ガラス繊維布を平坦面に整形した後で、ガラス繊維布をプレスして所望の形状に成形し、それを文字板に貼付ける。
【００２９】
なお、請求項９に記載のガラス繊維と略同一の屈折率の樹脂を用いる発明、また、請求項１０に記載のその樹脂としてアクリル樹脂、ウレタン樹脂、ポリカーボネイト樹脂を用いる発明は、前述したように、アクリル樹脂、ウレタン樹脂、ポリカーボネイト樹脂はガラス繊維とほぼ同じ屈折率を持つ。従って、ガラス繊維からの反射光が周りに覆われた樹脂との境界面で屈折・分散せずに外に放射されるので、ガラス繊維の光沢あるキラキラ感が現れる。また、請求項１４に記載の樹脂に着色する発明は、前述したように、ガラス繊維布を用いた文字板のカラー化が図れるので、デザインバリエーションが増やせられる。
【００３０】
また、請求項１５及び請求項１６に記載の発明の携帯時計では、ガラス繊維布から発するキラキラとした光沢感と、綺麗なガラス繊維布の布目模様を外観に表現する携帯時計が得られる。今まで見ることのできなかったガラス繊維布を用いた携帯時計が提供できる。
【発明を実施するための最良の形態】
【００３１】
以下、本発明の最良の実施形態を図１〜図６を用いて説明する。図１は本発明の第１実施形態に係る時計用文字板を備えた携帯時計の平面図、図２は図１における携帯時計の要部断面図、図３は図２における時計用文字板の断面図、図４は図３におけるＡ部の拡大図で、図４（ａ）は拡大断面図、図４（ｂ）は拡大平面図を示している。また、図５は本発明の第２実施形態の時計用文字板を備えた携帯時計の平面図、図６は図５における時計用文字板の断面図を示している。
【００３２】
先ず、本発明の第１実施形態に係る時計用文字板を備えた携帯時計を図１、２を用いて説明する。図１、図２より、本発明の第１実施形態に係る時計用文字板を備えた携帯時計３０は、ケース３１の内部に中枠３７を介して取付けた時計用文字板４０、ムーブメント３８、ムーブメント３８の指針軸に取付けられた時針や分針を示す指針３４が納められ、そして、これらを覆う形で透明なカバーガラス３２と裏蓋３６が取付けられ、ケース３１の嵌又部分にバンド３３を、ケース３１の側面にリューズ３５を取付けた構成を取っている。時計用文字板４０は本発明の第１実施形態に係る時計用文字板を用いており、図２においては、文字板基板４１とガラス繊維布４３と時字４５とで時計用文字板４０の構成を示しているが、その詳細は図３及び図４を用いて詳しく説明する。なお、図１及び図２においての時計用文字板４０は見える要素部品のみを取り上げて符合してあり、また、図１において格子状に示したガラス繊維布４３の格子状の模様は一部分だけを描いたもので他の部分は省略してある。尚また、時計用文字板４０以外の構成部品は既に従来より開示された技術仕様のものを用いているのでここでの説明は省略する。
【００３３】
次に、図３、図４を用いて本発明の時計用文字板を説明する。図３は本発明の時計用文字板の要部断面図を示したもので、図２における時計用文字板４０を取り出して大きく描いたものである。また、図４は図３におけるＡ部の拡大断面図（図３（ａ））と拡大平面図（図（ｂ））図を示したものである。図３、図４より、本発明の時計用文字板４０は、指針取付け用の中心孔４１ｂを形成した文字板基板４１と、文字板基板４１の上面側に設けた中心孔４３ｂを有するガラス繊維布４３と、このガラス繊維布４３を被覆している樹脂４２と、被覆している樹脂４２の上面の外周所定の位置に設けた時字４５と、が主要構成部品になって構成されている。そして、ガラス繊維布４３を被覆している樹脂４２と文字板基板４１とが粘着剤４４を介して粘着固定し、一体となった構造を形成している。また、樹脂４２が被覆したガラス繊維布４３の外周部の上面、所定の位置に時字４５が形成されている。この時字４５は金属を接着剤を介して貼付けたり、樹脂インクを用いて印刷などで形成することができる。
【００３４】
文字板基板４１はりん青銅、洋白または黄銅などの金属、セラミック、プラスチックなどから形成し、メッキや塗装などの表面処理が施されている。
【００３５】
ガラス繊維布４３は、図４（ａ）に示すように、５μｍ位の細さのガラス繊維４３ａを丸で囲ったＢ部に示すように数十本から数百本束ね、図４（ｂ）に示すように、平織り模様に編んだものを用いている。ガラス繊維４３ａは、細いものになると径が約０．４μｍ位のものからあるが、径が約４〜６μｍの範囲のものを文字板に使用するのが布目がはっきり見えて好ましい。このガラス繊維布４３には樹脂４２が被覆されている。この樹脂４２は、図４（ａ）に示すように、表面だけではなくガラス繊維４３ａの束の隙間の中にまで浸透して付着している。また、この樹脂４２が被覆したガラス繊維布４３は平坦な面に仕上げられており、平織りの布目が綺麗に形整って形成されている。本実施形態のガラス繊維布４３は平織りのものを使用しているが、特に限定するものではなく、朱子織り、綾織り、模紗織りなどのものも選択することができる。
【００３６】
ガラス繊維布４３を被覆する樹脂４２はガラス繊維と略同一屈折率のものを使用する。これは、ガラス繊維からの反射光がガラス繊維と樹脂との境界面で屈折が起きないようにするためで、ガラス繊維からの反射光が屈折せずに放射されることによってガラス繊維のキラキラと光るキラキラ感が視認されるようになる。一方、ガラス繊維からの反射光が屈折すると光が分散し、キラキラ感が現れない。本実施形態のガラス繊維は、屈折率１．５のものを用いていることから屈折率１．４９のアクリル樹脂を用いている。ガラス繊維の屈折率は、使用するガラスの材料の種類によって１．５〜１．６の範囲の屈折率を持つ。従って、使用するガラス繊維の屈折率に近い樹脂を選択する。例えば、屈折率１．５のガラス繊維を用いたときにはアクリル樹脂（屈折率１．４９）を選択し、屈折率１．６のガラス繊維を用いた場合はウレタン樹脂（屈折率１．６）やポリカーボネイト樹脂（屈折率１．５９）などを選択すると良い。
【００３７】
次に、上記の構成を取る時計用文字板４０の製造方法を説明する。最初にガラス繊維布を樹脂塗料の液に浸漬する。この樹脂塗料の液は樹脂をシンナーなどの溶剤と混ぜ合わせて生成した塗料の液で、配合割合（重量％）は概ね樹脂１：溶剤１０の割合にする。この配合割合は樹脂分が非常に少なくなっていて、ガラス繊維布の布目（織目や束ねたガラス繊維の隙間）の中に十分に樹脂が浸透して、しかも、ガラス繊維に付着する樹脂量を少なくなるようにしている。これは、ガラス繊維の表面に付着する樹脂量が多いとキラキラ感が損なわれることによる。約１〜３分程度浸漬した後、樹脂で被覆したガラス繊維布を取り出し、６０°Ｃ以下の温度で低温乾燥する。これは、樹脂を低温乾燥で仮硬化させ、樹脂のベトベト状態を無くして取扱を容易にするために行うもので、自然乾燥でも良い。次に、樹脂を仮硬化させたガラス繊維布を平坦な２枚のシリコンゴム板の間に挟み、９０°Ｃ以上の温度で加熱しながら加圧する。このとき、ガラス繊維布を四隅から少し引っ張って布目が綺麗に整うように緊張させた状態にして行う。樹脂はこのときの加熱によって再溶解し、十分に布目の中に入り込み、そして、硬化する。このような工程を取ることによって、図４に示すような、樹脂４２が布目の隅々まで入り込んでガラス繊維を被覆し、布目が綺麗に整形された平坦な面のガラス繊維布４３が得られる。また、シリコンゴム板は溶解した樹脂が付着しないので何回でも利用できる。次に、平坦面になったガラス繊維布４３を文字板基板４１に粘着剤４４（または接着剤でも良い）を介して貼付ける。そして、プレス加工を施して文字板形状に仕上げる。最後に、時字４５を設けて完成の時計用文字板４０が得られる。なお、時字４５を印刷で形成しても、ガラス繊維布に樹脂が被覆しているので印刷インクの乗りも良く、綺麗な時字が印刷できる。勿論、時字以外のマークなどの指標や他の模様などを部分的に印刷しても良いことは云うまでもない。
【００３８】
以上の製造方法の下で構成した時計用文字板は、光沢のあるガラス繊維布からのキラキラとした反射光が視認されて、キラキラ感が現れる。また、布目が綺麗に整形されているので綺麗な布目模様が現れて見える。そして、高級感を感じさせる。また、ガラス繊維１本１本の周りに樹脂が入り込んで固めてあるのでガラス繊維布の腰も強く、プレス加工を行ってもガラス繊維がバラケることなく、また、切断面におけるガラス繊維のケバも発生しない。
【００３９】
また、樹脂塗料に着色顔料を混ぜ合わせて、樹脂に着色を施すこともできる。着色顔料は各種の色のものが選択できるが、顔料の配合量が多いとガラス繊維布のキラキラ感が薄らいでしまう。樹脂の光透過率が９０％以上確保できる程度の配合量に押さえておくのが好ましい。このように着色を施すとカラー化が可能となり、デザインバリエーションを増やすことができる。
【００４０】
次に、本発明の第２実施形態に係る時計用文字板及びそれを備えた携帯時計を図５、図６を用いて説明する。図５は本発明の第２実施形態に係る時計用文字板を備えた携帯時計の平面図、図６は図５における時計用文字板の断面図を示している。図５より、本発明の第２実施形態に係る時計用文字板を備えた携帯時計５０は、前述の第１実施形態に係る時計用文字板を備えた携帯時計３０とは時計用文字板のみ異なり、構造は全く同じ構造を取っている。従って、ここでは、時計用文字板のみ説明して他の構成部品の説明は省略する。図５において、時計用文字板６０は文字板基板６１と、その中央領域部に設けたガラス繊維布６３と、外周領域部の所定の位置に設けた時字６５とが主要構成部品となって構成している。この詳細は図６を用いて説明する。
【００４１】
図６より、文字板基板６１はその中央領域部に凹部６１ｃが形成されて、その凹部６１ｃに粘着剤６４を介して樹脂６２を被覆したガラス繊維布６３が貼付けてある。そして、文字板基板６１の外周領域部の所定の位置に時字６５を設けている。ガラス繊維布６３に被覆した樹脂６２はガラス繊維布６３の布目の中にまで浸透してガラス繊維に付着しており、また、表面にも付着して覆っている。そして、このガラス繊維布６３は平坦に、布目が綺麗に整った状態に整形されている。
【００４２】
本実施形態に用いたガラス繊維布６３のガラス繊維は屈折率１．６のものを用いている。従って、被覆する樹脂として略同じ屈折率であるウレタン樹脂を用いている。これは、ウレタン樹脂とほぼ同じ屈折率を示すポリカーボネイト樹脂を使用しても良いものである。ガラス繊維布６３に樹脂６２を被覆する方法、ガラス繊維布６３の布目を整えて平坦にする方法は前述の第１実施形態で説明した方法と同じ方法で行う。
【００４３】
本実施形態の時計用文字板６０はその中央領域部のみにガラス繊維布６３を設けてある。このガラス繊維布６３は、ガラス繊維布６３の布目を整えて平坦にした後でプレス加工を行い、所望の形状に形成する。そして、粘着剤６４（または接着剤）を介して文字板基板６１の凹部６１ｃに貼合わせることによって時計用文字板６０を得る。
【００４４】
本実施形態においてはガラス繊維布を文字板の中央領域部に設けたが、ガラス繊維布の布目を整えて平坦にした後でプレス加工を行い、所望の形状に形成する方法を取れば、文字板の所望の位置にガラス繊維布を設けることができる。
【００４５】
このように形成した時計用文字板６０は、文字板基板６１の装飾された表面とガラス繊維布の布目模様が外観装飾として視認されるので装飾豊かな文字板外観が得られる。また、その中にあってガラス繊維布から発するキラキラ感が視認されるので高級感を感じさせる。
【００４６】
そして、前述の第１実施形態の時計用文字板や上記第２実施形態の時計用文字板を組み込んだ携帯時計は、文字板の外観仕様、即ち、ガラス繊維布の綺麗に整った布目模様装飾、あるいは、ガラス繊維布の綺麗に整った布目模様装飾と文字板基板の装飾との両方の装飾が見える下でガラス繊維布からのキラキラとした光によるキラキラ感が視認されるので高級感を感じさせる。そして、今まで提供できなかったガラス繊維布を用いた携帯時計が提供できるようになった。
【産業上の利用可能性】
【００４７】
以上、時計用文字板及び携帯時計においての本発明を詳細に説明した。本発明は時計に限らず、一般的な装飾品にも利用することができる。例えば、携帯情報機器などの電子機器の外観装飾部品、身飾り品やその他の携帯品などに利用することができる。
本発明を
【図面の簡単な説明】
【００４８】
【図１】本発明の第１実施形態に係る時計用文字板を備えた携帯時計の平面図である。
【図２】図１における携帯時計の要部断面図である。
【図３】図２における時計用文字板の断面図である。
【図４】図３におけるＡ部の拡大図で、図４（ａ）は拡大断面図、図４（ｂ）は拡大平面図である。
【図５】本発明の第２実施形態の時計用文字板を備えた携帯時計の平面図である。
【図６】図５における時計用文字板の断面図である。
【図７】従来のガラス繊維布を用いた時計用文字板をプレス加工により得られた文字板の要部断面図である。
【符号の説明】
【００４９】
３０、５０    携帯時計  
３１    ケース
３２    カバーガラス
３３    バンド
３４    指針
３５    リューズ
３６    裏蓋
３７    中枠
３８    ムーブメント
４０、６０    時計用文字板
４１、６１    文字板基板
４２、６２    樹脂
４３、６３    ガラス繊維布
４３ａ        ガラス繊維
４４、６４    粘着剤
４５、６５    時字
【図１】
2005274347.tif 000003
【図２】
2005274347.tif 000004
【図３】
2005274347.tif 000005
【図４】
2005274347.tif 000006
【図５】
2005274347.tif 000007
【図６】
2005274347.tif 000008
【図７】
2005274347.tif 000009